(57)【要約】【課題】開閉可能な第１の基体および第２の基体の不正な開放を防止する。【解決手段】ヒンジ接続された外枠および中枠を閉鎖状態で保持すると共に鍵による解錠操作により開放を許容する施錠機構として、外枠に設けられた複数の外枠係合片６１と、中枠に設けられて鍵による解錠操作に伴い施錠位置から解錠位置に移動される中枠作動体７１と、複数の外枠係合片と対応するよう中枠作動体７１に設けられ、施錠位置において対応の外枠係合片に係合し、解錠位置において対応の外枠係合片との係合が解除される複数の第１中枠係合片８０とを備える。前記複数の第１中枠係合片８０の夫々は、施錠位置において対応する外枠係合片に係合可能な係合位置と、係合が解除される強制解除位置との間を個別に変位し得るよう構成される。外枠係合片６１は、係合板部６２において係合片が係合する縁部を除く縁部から屈曲した屈曲部６３を備えた。【選択図】図５
2018110965.tif 000002
【特許請求の範囲】
【請求項１】
ヒンジ接続されて相対的に開閉可能な第１の基体および第２の基体と、前記第１の基体および第２の基体に設けられて両基体を閉鎖状態で保持すると共に鍵による解錠操作により両基体の相対的な開放を許容する施錠機構とを備えた遊技機において、
前記施錠機構は、
前記第１および第２の基体における一方の基体に設けられた複数の係合受け部と、
前記第１および第２の基体における他方の基体に設けられ、鍵による解錠操作に伴い施錠位置から解錠位置に移動される作動体と、
前記複数の係合受け部と対応するよう前記作動体に設けられ、当該作動体が施錠位置にある状態で対応の係合受け部に係合し、当該作動体が解錠位置にある状態で対応の係合受け部との係合が解除される複数の係合部とを備え、
前記施錠位置において前記係合受け部および係合部が係合することで前記第１および第２の基体が閉鎖状態で保持され、前記解錠位置において各係合受け部および係合部の係合が解除されることで第１および第２の基体の相対的な開放を許容するよう構成され、
前記複数の係合受け部および前記複数の係合部は、前記鍵を差し込み可能な鍵孔を挟む一方側および他方側に離間した位置で前記係合部と対応の前記係合受け部とが係合するよう設けられ、
前記係合部は、前記作動体が施錠位置にある状態において、対応する前記係合受け部に対して係合可能な係合位置と、対応する係合受け部との係合が解除される強制解除位置との間を個別に変位し得るよう構成されると共に、常には当該係合位置に保持され、
前記係合受け部は、前記係合部が係合する第１部位と、当該第１部位に係合する前記係合部の一部を囲う第２部位とを備える
ことを特徴とする遊技機。
【発明の詳細な説明】
【技術分野】
【０００１】
この発明は、相対的に開閉可能な第１の基体および第２の基体を備え、鍵による解錠操作が可能な施錠機構により両基体を閉鎖状態で保持するよう構成された遊技機に関するものである。
【背景技術】
【０００２】
例えば、遊技機の一つであるパチンコ機は、前後に開口する矩形枠状に形成されて遊技店の設置枠台に固定される固定枠としての外枠と、該外枠に対して左右一方の側部が開閉可能にヒンジ接続される本体枠としての中枠とを備えており、パチンコ球が流下可能な遊技領域が画成された遊技盤が当該中枠に着脱可能に配設されている。また、前記中枠の前側には、パチンコ機の前面を装飾すると共に遊技盤を透視保護する装飾枠としての前枠が左右一方の側部に開閉可能にヒンジ接続されている。この種のパチンコ機では、前記遊技領域に打ち出されたパチンコ球が遊技領域内に植設された遊技釘等との接触により跳ね返りながら次第に自重により流下し、該遊技領域を流下する過程で各種の入賞部に入賞することにより遊技が行われるよう構成されている。
【０００３】
また、左側部側でヒンジ接続された外枠と中枠、および中枠と前枠の夫々は、反対側の右側部に施錠部が設けられており、各枠を相互に閉鎖状態で保持し得るよう構成されている。相対的に開閉する枠の一方側に、解錠操作に伴って上下移動する作動杆の上下に離間する位置に一対の爪部が設けられると共に、相対的に開閉する枠の他方側に、当該爪部が係脱可能に係合する受け片が設けられており、バネ等の付勢部材により爪部と受け片とが係合する位置に当該作動杆を常時付勢する一方、解錠操作に伴い爪部と受け片との係合が解除される位置に当該作動杆が移動するよう構成されている。すなわち、前記爪部と受け片との係合作用下において各枠が相互に閉鎖状態で保持され、解錠操作に伴って爪部と受け片との係合を解除することで、各枠を開放し得るようになっている。
【先行技術文献】
【特許文献】
【０００４】
【特許文献１】特開２０１３−２４８２３１号公報
【発明の概要】
【発明が解決しようとする課題】
【０００５】
ところで、前述したパチンコ機が設置される一般的な遊技店では、複数のパチンコ機を並列的に隣接配置して遊技に供されており、隣接するパチンコ球間の隙間を完全に塞ぐことは実質的に不可能で、パチンコ球の間に僅かな隙間が形成されてしまう実情がある。しかしながら、前記作動杆および複数の爪部は、解錠操作に伴って相互に一体的に動作する必要があることから、１つの金属部材からプレス加工等により一体形成されたり、リベットや溶接等により一体化されている。このため、パチンコ機の間の僅かな隙間に挿入されたピアノ線等の不正器具を何れかの爪部に引っ掛けて、当該爪部を受け片との係合が解除される方向に強制的に操作されると、前記作動杆を介して連結された全ての爪部が連動して受け片との係合が解除されてしまい、枠が不正に開放される可能性があった。
【０００６】
すなわち本発明は、従来の技術に内在する前記問題に鑑み、これらを好適に解決するべく提案されたものであって、相対的に開閉可能な第１の基体および第２の基体の不正な開放を防止可能な遊技機を提供することを目的とする。
【課題を解決するための手段】
【０００７】
本願には次のような技術的思想が含まれている。
ヒンジ接続されて相対的に開閉可能な第１の基体(11)および第２の基体(12)と、前記第１の基体(11)および第２の基体(12)に設けられて両基体(11,12)を閉鎖状態で保持すると共に鍵による解錠操作により両基体の相対的な開放を許容する施錠機構(60,70,100,120)とを備えた遊技機において、
前記施錠機構(60,70,100,120)は、
前記第１および第２の基体(11,12)における一方の基体(11)に設けられた複数の係合受け部(61)と、
前記第１および第２の基体(11,12)における他方の基体(12)に設けられ、鍵による解錠操作に伴い施錠位置から解錠位置に移動される作動体(71)と、
前記複数の係合受け部(61)と対応するよう前記作動体(71)に設けられ、当該作動体(71)が施錠位置にある状態で対応の係合受け部(61)に係合し、当該作動体(71)が解錠位置にある状態で対応の係合受け部(61)との係合が解除される複数の係合片(80)とを備え、
前記施錠位置において前記係合受け部(61)および係合片(80)が係合することで前記第１および第２の基体(11,12)が閉鎖状態で保持され、前記解錠位置において各係合受け部(61)および係合片(80)の係合が解除されることで第１および第２の基体(11,12)の相対的な開放を許容するよう構成され、
前記複数の係合受け部(61)および前記複数の係合片(80)は、前記鍵を差し込み可能な鍵孔(121a)を挟む一方側および他方側に離間した位置で前記係合片(80)と対応の前記係合受け部(61)とが係合するよう設けられ、
前記係合片(80)は、前記作動体(71)が施錠位置にある状態において、対応する前記係合受け部(61)に対して係合可能な係合位置と、対応する係合受け部(61)との係合が解除される強制解除位置との間を個別に変位し得るよう構成されると共に、当該係合位置へ向けて付勢する付勢部材(84)が各係合片(80)の夫々に対応して設けられ、
前記係合受け部(61)は、前記係合片(80)が係合する係合板部(62)と、当該係合板部(62)において係合片(80)が係合する縁部を除く縁部から屈曲した屈曲部(63)とを備えることを要旨とする。
このように、鍵による解錠操作に伴い施錠位置から解錠位置に移動される作動体に対して、係合位置および係合解除位置に変位し得るよう複数の係合片を設けたことで、鍵を用いた解錠操作によらずに何れかの係合片を係合解除位置へ変位させるように強制的に操作された場合でも、他の係合片が係合位置に保持されるから、第１の基体および第２の基体の不正な開放を防止することができる。また、係合片が係合する係合板部において、当該係合片が係合する縁部を除く縁部から屈曲部が屈曲するよう係合受け部を形成することで、当該係合受け部に係合する係合片まで不正器具を到達させるのを困難にでき、第１の基体および第２の基体が不正に開放されるのを防止することができる。
また本願には次のような技術的思想が含まれている。
前記作動体(71)は、対応の前記第１の基体(11)または第２の基体(12)がヒンジ接続される側部(33)と反対側の側部(34)に、鍵による解錠操作に伴い当該側部(34)に沿って移動するよう設けられると共に、当該作動体(71)の移動方向と交差する方向へ開口する挿通孔部(71b)が形成され、
前記係合片(80)は、前記係合位置および強制解除位置に移動し得るよう前記作動体(71)に支持されて前記作動体(71)の移動方向に交差する方向へ延在する基部(81)と、前記基部(81)の一方端部に設けられ、対応する前記係合受け部(61)に対して係脱可能に係合する爪部(82)とを備え、
前記作動体(71)の挿通孔部(71b)に前記係合片(80)の基部(81)が挿通されて、当該挿通孔部(71b)の開口縁部に作動体(71)の基部(81)が接触することで、前記係合位置および強制解除位置への移動方向と交差する方向への係合片(80)の変位を規制するよう構成されたことを要旨とする。
このように、鍵による解錠操作によらずに基体を開放させることを企図して係合受け部との係合が解除されるように係合片を変形させる不正行為が成された場合でも、作動体の挿通孔部に係合片の基部を挿通することで、係合位置および係合解除位置への移動方向と交差する方向への係合片の変形を規制し得るから、第１の基体および第２の基体が不正に開放されるのを防止することができる。
【０００８】
また本願には次のような技術的思想が含まれている
前記係合片(80)は、前記作動体(71)に基部(81)が軸支されて、当該基部(81)において作動体(71)を挟んで前記爪部(82)と反対の端部に前記付勢部材(84)が取り付けられたことを要旨とする。
このように、基部において作動体を挟んで爪部と反対の端部に付勢部材を取り付けることで、係合片の不正な操作を企図して当該係合片まで差し込まれた不正器具が付勢部材まで到達するのを防止でき、当該付勢部材の付勢により係合片を係合位置で安定して保持することができる。
【０００９】
前記課題を克服し、所期の目的を達成するため、本願の請求項１に係る発明は、
ヒンジ接続されて相対的に開閉可能な第１の基体(11)および第２の基体(12)と、前記第１の基体(11)および第２の基体(12)に設けられて両基体(11,12)を閉鎖状態で保持すると共に鍵による解錠操作により両基体の相対的な開放を許容する施錠機構(60,70,100,120)とを備えた遊技機において、
前記施錠機構(60,70,100,120)は、
前記第１および第２の基体(11,12)における一方の基体(11)に設けられた複数の係合受け部(61)と、
前記第１および第２の基体(11,12)における他方の基体(12)に設けられ、鍵による解錠操作に伴い施錠位置から解錠位置に移動される作動体(71)と、
前記複数の係合受け部(61)と対応するよう前記作動体(71)に設けられ、当該作動体(71)が施錠位置にある状態で対応の係合受け部(61)に係合し、当該作動体(71)が解錠位置にある状態で対応の係合受け部(61)との係合が解除される複数の係合部(80)とを備え、
前記施錠位置において前記係合受け部(61)および係合部(80)が係合することで前記第１および第２の基体(11,12)が閉鎖状態で保持され、前記解錠位置において各係合受け部(61)および係合部(80)の係合が解除されることで第１および第２の基体(11,12)の相対的な開放を許容するよう構成され、
前記複数の係合受け部(61)および前記複数の係合部(80)は、前記鍵を差し込み可能な鍵孔(121a)を挟む一方側および他方側に離間した位置で前記係合部(80)と対応の前記係合受け部(61)とが係合するよう設けられ、
前記係合部(80)は、前記作動体(71)が施錠位置にある状態において、対応する前記係合受け部(61)に対して係合可能な係合位置と、対応する係合受け部(61)との係合が解除される強制解除位置との間を個別に変位し得るよう構成されると共に、常には当該係合位置に保持され、
前記係合受け部(61)は、前記係合部(80)が係合する第１部位(62)と、当該第１部位(62)に係合する前記係合部(80)の一部を囲う第２部位(63)とを備えることを要旨とする。
このように、鍵による解錠操作に伴い施錠位置から解錠位置に移動される作動体に対して、係合位置および係合解除位置に変位し得るよう複数の係合部を設けたことで、鍵を用いた解錠操作によらずに何れかの係合部を係合解除位置へ変位させるように強制的に操作された場合でも、他の係合部が係合位置に保持されるから、第１の基体および第２の基体の不正な開放を防止することができる。また、第１部位に係合する係合部の一部を囲う第２部位を係合受け部に形成することで、当該係合受け部に係合する係合部まで不正器具を到達させるのを困難にでき、第１の基体および第２の基体が不正に開放されるのを防止することができる。
【発明の効果】
【００１０】
本発明に係る遊技機によれば、鍵による解錠操作によらずに施錠機構の施錠状態が解除されるのを防ぐことができ、操作相対的に開閉可能な第１の基体および第２の基体の不正な開放を防止し得る。
【図面の簡単な説明】
【００１１】
【図１】本発明の好適な実施例に係るパチンコ機を示す斜視図であって、外枠に対して中枠を閉鎖すると共に、中枠に対して前枠を開放した状態を示す。
【図２】実施例に係るパチンコ機を示す分解図であって、外枠および中枠の正面図と、前枠の背面図とを示している。
【図３】実施例に係る上側の外枠施錠部を背面から見た状態を拡大して示す斜視図である。
【図４】実施例に係る外枠に対して中枠を組み付けた状態における図２のＢ−Ｂ線での断面図である。
【図５】実施例に係る中枠施錠部を示す右側面図であって、(a)は中枠作動体が中枠施錠位置にある状態を示し、(b)は中枠作動体が中枠解錠位置にある状態を示す。なお、二点鎖線は中枠の右枠部を示している。
【図６】実施例に係る中枠施錠部の第１中枠係合片および第２中枠係合片の配設位置を拡大して示す右枠部の右側面図であって、係合位置にある第１および第２中枠係合片を実線で示すと共に、強制解除位置にある第１および第２中枠係合片を二点鎖線で示してある。
【図７】実施例に係る中枠施錠部の第１中枠係合片の配設位置を拡大した右枠部を前側から見た状態を示す斜視図である。
【図８】図２におけるＡ−Ａ線において規制部材の配設位置を拡大した断面図であって、(a)は中枠に対して前枠を開放して規制部材が解錠規制位置に保持された状態を示し、(b)は中枠に対して前枠を閉鎖して規制部材が解錠許容位置に変位した状態を示す。
【図９】(a)は、前枠作動体が前枠施錠位置にある状態を前側から見た前枠施錠部の斜視図であり、(b)は、前枠作動体が前枠施錠位置にある状態を後側から見た斜視図であり、(c)は、前枠作動体が前枠解錠位置にある状態を後側から見た斜視図である。
【図１０】外枠、中枠および前枠を閉鎖した状態における図２のＡ−Ａ線での要部拡大断面図であって、(a)は、中枠作動体が中枠施錠位置にあると共に前枠作動体が前枠施錠位置にある状態を示し、(b)は、中枠作動体が中枠解錠位置に移動した状態を示し、(c)は、前枠作動体が前枠解錠位置に移動した状態を示す。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技が行われるパチンコ機１０を例に挙げて説明する。また、以下の説明において、「前」、「後」、「左」、「右」とは、特に断りのない限り、図  に示すようにパチンコ機１０を前側(遊技者側)から見た状態で指称する。
【実施例】
【００１３】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２がヒンジ部を介して開閉および着脱可能に組み付けられて、該遊技盤２０の裏側に、各種図柄を変動表示可能な図柄表示装置(図示せず)が着脱可能に配設されている。また、前記中枠１２の前面側には、前記遊技盤２０を透視保護するガラス板や透明な合成樹脂材により形成された透視保護部材４６で前後に開口する窓口１３ａを覆うよう構成された装飾枠として前枠１３がヒンジ部を介して開閉可能に組み付けられている。また、前記外枠１１と中枠１２とおよび中枠１２と前枠１３の夫々は、前記ヒンジ部とは反対側の側部に位置設けられた後述する施錠機構６０,７０,１００,１２０により相互に閉鎖した閉鎖状態に保持されて、パチンコ機１０の前面側から鍵により解錠操作することで開放し得るよう構成されている。そして、前枠１３の前面下部位置に、パチンコ球を貯留する上球受け皿１４および下球受け皿(図示せず)が上下に離間して設けられており、前枠１３と一体的に上下の球受け皿を中枠１２に対して開閉可能に構成されている。なお、図柄表示装置としては、各種図柄を表示可能な液晶パネルを収容ケースに収容した液晶表示装置や、ドラム式の図柄表示装置、ドットマトリックス式の図柄表示装置等の各種図柄を停止および変動表示可能な従来公知の各種の図柄表示装置を採用し得る。
【００１４】
また、図１に示すように、パチンコ機１０の前面右下部には、該中枠１２に配設された打球発射装置１８を作動させる操作ハンドル１６が設けられている。前記操作ハンドル１６は、左回転方向に付勢された操作レバー１６ａを備えており、該操作レバー１６ａを右回転するよう遊技者が回動操作することで打球発射装置１８が作動されて、前記上球受け皿１４に貯留されたパチンコ球が前記遊技盤２０の遊技領域２０ａに向けて１球ずつ発射されるようになっている。ここで、前記操作レバー１６ａの回動量に応じて前記打球発射装置１８によるパチンコ球の打球力が強弱変化するよう構成されており、遊技者が操作レバー１６ａの回動量を調節することで、前記遊技領域２０ａへのパチンコ球の発射位置(到達位置)を任意に変更し得るようになっている。なお、実施例では前枠１３の前面右下部に操作ハンドル１６を設けてあるが、中枠１２や球受け皿等に操作ハンドル１６を設けることも可能である。また、実施例では、上下の球受け皿を前枠１３に設けるよう構成したが、当該上下の球受け皿の一方または両方を前記中枠１２の前面に対して個別に開閉可能に組み付けるようにしてもよく、また球受け皿を１つだけ備える構成とすることも可能である。
【００１５】
(遊技盤２０について)
図１に示すように、前記遊技盤２０は、ベニヤ材や合成樹脂材により形成された略矩形状の板部材の前面(盤面)に、略円形状に湾曲させた案内レール２１が配設されており、該案内レール２１により画成される略円形の遊技領域２０ａに、中枠１２に配設された打球発射装置１８から発射されたパチンコ球が打ち出されるようになっている。また、遊技盤２０の板部材には、前後に貫通する装着口(図示せず)が適宜位置に開設されており、各装着口に対して図示しない遊技盤設置部品が前側から取り付けられると共に、遊技領域２０ａの最下部位置には、該遊技領域２０ａに打ち出されたパチンコ球を排出するアウト口２２が開設されている。ここで、前記遊技盤２０には、前記遊技盤設置部品として、パチンコ球が入賞可能な各種の入球部(始動入賞部、特別入賞部、普通入賞部、ゲート部等)や、装飾部品等の各種の遊技盤設置部品(何れも図示省略)が設けられており、遊技領域２０ａに打ち出されたパチンコ球が入賞部に入賞することで、遊技者に有利な大当り遊技等の特別遊技状態を生起させるか否かの当り判定や、所定数の賞球の払い出し等が行われることで、所期の遊技が行われるようになっている。具体的に、パチンコ球の入球(入賞)を契機として当り判定が行われる始動入賞部や、特別遊技状態の発生に伴ってパチンコ球が入球(入賞)可能となる特別入賞部、始動入賞部として入賞口を開閉可能な可変始動入賞部を備える場合に、パチンコ球の入球を契機として入賞口を開放するか否かの開放判定が行われるゲート部が遊技盤２０に配設されている。また、前記遊技盤２０の裏側には、可動演出装置や発光演出装置等の各種の演出装置が配設された設置部材(何れも図示せず)が備えられており、前記図柄表示装置の表示に合わせて演出装置が作動されるよう構成してある。
【００１６】
(外枠１１について)
前記外枠１１は、図１、図２に示すように、上縁枠部１１ａ、下縁枠部１１ｂ、左縁枠部１１ｃおよび右縁枠部１１ｄの端部を連結して、前後方向に開放する矩形枠状に組み付けられている。上縁枠部１１ａおよび下縁枠部１１ｂは、上下方向に所定厚みを有する木質系材料で構成される一方、左縁枠部１１ｃおよび右縁枠部１１ｄは、アルミ材等の金属材料で構成されており、左右の縁枠部１１ｃ,１１ｄの薄型化を図りつつ外枠１１全体の剛性を高めている。なお、下縁枠部１１ｂの前側には、左右方向に延在する化粧板１１ｅが設けられ、パチンコ機１０の前面下部の意匠面を構成している。図２に示すように、外枠１１の左上端部および左下端部(左右一方の端部)には、ヒンジ部を構成する上支持受具５１および下支持受具５２が配設されており、該上支持受具５１に下方へ突出形成した外枠上ヒンジ軸５１ａと、下支持受具５２に上方へ突出形成した外枠下ヒンジ軸５２ａとを介して前記中枠１２が外枠１１に対して開閉可能に支持されるようになっている。また、前記外枠１１には、前記右縁枠部１１ｄの内側(左側面)に、施錠機構の外枠施錠部６０を構成する複数(実施例では２つ)の外枠係合片(係合受け部)６１が上下に離間して設けられ、中枠１２に設けられた後述する中枠作動体７１の中枠係合片８０が外枠係合片６１に係脱可能な状態で係合することで、外枠１１に対して中枠１２が閉鎖された閉鎖状態で保持される(施錠される)ようになっている。ここで、前記施錠機構６０,７０,１００,１２０は、外枠１１、中枠１２および前枠１３の夫々がヒンジ接続される側部(実施例では左側部)と反対側の側部(右側部)に設けられている。
【００１７】
(中枠１２について)
図２に示すように、前記中枠１２は、上縁をなす上枠部３１と、下縁をなし、前記打球発射装置１８や図示しない各種制御装置等を設置する設置部として機能する下枠部３２と、左側縁をなす左枠部３３と、右側縁をなす右枠部３４とから構成されて、これら上下左右の各枠部３１,３２,３３,３４の端部を連結して前後方向に開放する矩形枠状に組み付けられている。そして、前記上下左右の枠部を組み付けた際に開口する前後の開口領域(以下、遊技盤設置部という)に、遊技盤２０が着脱自在に設置されるようになっている。なお、実施例では、上枠部３１および下枠部３２が合成樹脂材で成形されると共に、左右の枠部がアルミ等の金属材により成形されて、中枠１２全体としての剛性を確保しつつ軽量化が図られている。
【００１８】
ここで、前記中枠１２は、前記外枠１１の各縁枠部１１ａ〜１１ｄにより形成される前側開口より僅かに小さな大きさで形成されており、中枠１２を外枠１１に対して閉鎖させた閉鎖状態で、外枠１１の開口内側に中枠１２が収容されるようになっている(図１、図４参照)。具体的に、前記上枠部３１は、前記外枠１１における上縁枠部１１ａの下面に対向する上枠本体部３１ａと、当該上枠本体部３１ａの前端部から上方に延出するよう設けられて中枠１２の上縁を画成する上縁部３１ｂとを基本的に備えて、当該上縁部３１ｂが外枠１１の上縁枠部１１ｂと略同一の高さに位置して、中枠１２を外枠１１に対し閉鎖した際に上縁部３１ｂの後面が上縁枠部１１ａの前面に当接するようになっている。なお、前記中枠１２の上枠部３１には、パチンコ球を貯留するタンク部３１ｃが前記上枠本体部３１ａの後端部に一体的に形成されている。同様に、前記左右の枠部は、前記外枠１１において対応する左右の縁枠部１１ｃ,１１ｄの側面に対向する左右の枠本体部３３ａ,３５と、当該左右の枠本体部３３ａ,３５の前端部から中枠１２の側外方に延出するよう設けられて中枠１２の側縁を画成する左右の側縁部３３ｂ,３７とを基本的に備えており、当該左右の側縁部３３ｂ,３７が外枠１１の対応する左右の縁枠部１１ｃ,１１ｄの前方に位置して、中枠１２を外枠１１に対し閉鎖した際に左右の側縁部３３ｂ,３７の後面が左右の縁枠部１１ｃ,１１ｄの前面に当接するようになっている。そして、左右に対向する左枠部３３および右枠部３４の間に前記下枠部３２が位置するよう設けられている。すなわち、中枠１２の閉鎖状態では外枠１１の内周面(各縁枠部の内側面)と中枠１２の外周面(各枠部の外側面)とが対向するようになっている。
【００１９】
また、図２に示すように、前記中枠１２の上枠部３１の前面における左上端部(左右一方の端部)、および下枠部３２の前面における左下端部(左右一方の端部)には、ヒンジ部としての第１の連結金具５４および第２の連結金具５５が夫々配設されている。前記第１の連結金具５４には、上方および左方に開口して前記外枠１１の外枠上ヒンジ軸５１ａを挿通可能なる第１軸孔５４ａが形成されると共に、下方および前方に開口して前記前枠１３の前枠ヒンジ軸５７ａを挿通可能な第２軸孔５４ｂが形成されている。そして、前記第１軸孔５４ａの左方開口は、第１の連結金具５４に回動操作可能に組み付けられた第１レバー体５４ｃにより開閉されると共に、第２軸孔５４ｂの前方開口は、第１の連結金具５４に回動操作可能に組み付けられた第２レバー体５４ｄにより開閉されるよう構成されている。また、前記第２の連結金具５５には、上方に突出する中枠ヒンジ軸５５ａおよび下方に開口する第３軸孔５５ｂが形成されており、当該第３軸孔５５ｂの下方から前記外枠１１の外枠下ヒンジ軸５２ａを挿通し得るようになっている。前記第３軸孔５５ｂに対して外枠１１の外枠下ヒンジ軸５２ａを下方から挿通した状態で、前記第１レバー体５４ｃを回動操作して開放させた前記第１軸孔５４ａの左方開口から外枠１１の外枠上ヒンジ軸５１ａを挿通して、当該第１レバー体５４ｃで第１軸孔５４ａの左方開口を閉鎖することで、中枠１２が外枠１１に対して開閉自在に枢支されるようになっている。そして、前記中枠１２には、前記外枠１１の右縁枠部１１ｄとの間に位置するよう前記右枠部３４(右枠本体部３５)に施錠機構を構成する中枠施錠部７０が設けられており、当該中枠施錠部７０を構成する中枠係合片(係合片)８０が、前記外枠係合片６１に係脱可能な状態で係合することで、外枠１１に対して中枠１２が閉鎖された閉鎖状態に保持され、当該外枠係合片６１と第１中枠係合片８０との係合が解除されることで、外枠１１に対して中枠１２を開放させ得るようになっている。
【００２０】
ここで、前記中枠施錠部７０が設けられる前記中枠１２の右枠部３４は、図４に示すように、前記遊技盤設置部の右側部を画成する右枠本体部３５の前端に機外側(図４では右方)へ延出する連結壁３６が形成されて、該連結壁３６の延出端部(右端部)から前方へ突出するよう前記右側縁部３７が設けられている。そして、前記右枠本体部３５の右側面に前記中枠施錠部７０が設けられている。すなわち、外枠１１に対して中枠１２を閉鎖した状態で、当該外枠１１の右縁枠部１１ｄと中枠１２の右枠部３４との間に前記中枠施錠部７０を収容する収容空間が画成されて(図４参照)、当該中枠施錠部７０に対して外部から容易にアクセスし得ないようになっている。また、前記連結壁３６には、前後方向に開口する貫通孔３６ａ,３６ｂが上下に離間した複数箇所(実施例では５箇所)に形成されており、当該貫通孔３６ａ,３６ｂを介して前記中枠施錠部７０の第２中枠係合片９０が連結壁３６の前側(右枠部３４の前側)に突出すると共に、後述する前枠施錠部１００の突出片１０３ｂが連結壁３６の後側(右枠部３４の後側)に突出するようになっている。なお、以下の説明で、中枠施錠部７０の第２中枠係合片９０が突出する貫通孔を第１の貫通孔３６ａと指称し、前枠施錠部１００の突出片１０３ｂが突出する貫通孔を第２の貫通孔３６ｂと指称して区別する場合がある。実施例では、前記連結壁３６における上下に離間する３箇所に第１の貫通孔３６ａが形成されると共に、当該第１の貫通孔３６ａの間に位置するよう上下に離間する２箇所に第２の貫通孔３６ｂが形成されている。
【００２１】
また、前記中枠１２の右枠部３４には、前記右枠本体部３５の前端部から連結壁３６に亘って連続する操作窓部３６ｃが開設されている(図２、図１０参照)。すなわち、前記中枠施錠部７０が収容される収容空間は、前記操作窓部３６ｃを介して右枠部３４の前後方向および左右方向に開口するよう構成されている。そして、前記操作窓部３６ｃに対応する位置に、前枠１３に設けられた後述する解錠操作部１２０が位置するよう構成されて、当該操作窓部３６ｃを介して解錠操作部１２０の第１作動片１２２ａが収容空間内に臨むようになっている。
【００２２】
(前枠１３について)
図２に示すように、前記前枠１３は、前記中枠１２の外郭形状に略合致する矩形板状に形成されると共に前後方向に開口する窓口１３ａが開設された前枠基体部４１を基本構成とし、該前枠基体部４１の前面に窓口１３ａの周囲を囲繞するよう各種の装飾部材４２を配設して構成されている。そして、前記前枠基体部４１の前面における窓口１３ａの下部位置に、前記上球受け皿１４の球貯留部を画成する上球皿部材４３が配設され、当該上球受け皿１４部材の下部位置に、前記下球受け皿の球貯留部を画成する下球皿部材(図示せず)が配設されている。また、前枠１３を中枠１２に対して閉鎖した閉鎖状態では、中枠１２の前側が前枠１３によって全面的に覆われて、前記窓口１３ａを介して遊技盤２０の遊技領域２０ａが前枠１３の前方に露出するよう構成されている。そして、前記前枠基体部４１の後側に、ガラス板等からなる透視保護部材４６が窓口１３ａを覆う状態で着脱可能に配設されて、前枠１３の閉鎖状態で遊技盤２０の遊技領域２０ａを前側から透視可能な状態で透視保護部材４６が保護している。
【００２３】
図１、図２に示すように、前記前枠基体部４１の左上隅部(左右一方の端部)には、ヒンジ部としての第３の連結金具５７が配設されており、当該第３の連結金具５７の上端部に上方に突出する前枠ヒンジ軸５７ａが形成されている。また、当該前枠基体部４１の左下隅部(左右一方の端部)には、ヒンジ部としての第４の連結金具５８が配設されており、当該第４の連結金具５８の下端部に第４軸孔５８ａが上下方向に開口するよう形成されている。そして、前記中枠１２の第２の連結金具５５に形成された中枠ヒンジ軸５５ａを、前枠１３の第４軸孔５８ａに下方から挿入すると共に、中枠１２の第１の連結金具５４に形成された前記第２軸孔５４ｂに前枠１３の前枠ヒンジ軸５７ａを挿入することで、当該前枠１３が中枠１２に対して開閉自在に枢支される。また、前記前枠１３には、前記前枠基体部４１の後面側の右側部に、施錠機構を構成する前枠施錠部１００が設けられており、当該前枠施錠部１００の前枠係合片１１０が前記中枠施錠部７０の中枠係合片９０に係脱可能な状態で係合することで、中枠１２に対して前枠１３が閉鎖された閉鎖状態に保持され、当該前枠係合片１１０と中枠係合片９０との係合が解除されることで、中枠１２に対して前枠１３を開放させ得るようになっている。
【００２４】
(施錠機構６０,７０,１００,１２０について)
前記施錠機構は、図２、図１０に示すように、前記外枠１１に設けられた外枠施錠部６０と、前記中枠１２に設けられて外枠施錠部６０に対して相互に係脱可能に係合する中枠施錠部７０と、前記前枠１３に設けられて中枠施錠部７０に対して相互に係脱可能に係合する前枠施錠部１００とを備えており、外枠施錠部６０と中枠施錠部７０とが係合することで外枠１１に対して中枠１２が閉鎖状態に保持され、中枠施錠部７０と前枠施錠部１００とが係合することで中枠１２に対して前枠１３が閉鎖状態に保持されよう構成されている。また、施錠機構６０,７０,１００,１２０は、パチンコ機１０の前面側から鍵による解錠操作が可能な解錠操作部１２０を備えており、解錠操作部１２０の中枠解錠操作に伴って外枠施錠部６０と中枠施錠部７０との係合が解除されて外枠１１に対して中枠１２を開放可能となると共に、解錠操作部１２０の前枠解錠操作に伴って中枠施錠部７０と前枠施錠部１００との係合が解除されて中枠１２に対して前枠１３を開放可能となるよう構成されている。なお、実施例のパチンコ機１０では、前記前枠１３に解錠操作部１２０が設けられている。
【００２５】
(外枠施錠部６０について)
前記外枠施錠部６０は、図２、図３に示すように、前記外枠１１の右縁枠部１１ｄの左側面に取り付けられて対向する左縁枠部１１ｃへ向けて突出する平板状の係合板部６２と、当該係合板部６２の上縁部および左縁部から後方へ延出する屈曲部６３とから外枠係合片(係合受け部)６１が形成されて、当該外枠係合片６１が後方および下方へ開口する箱状に形成されている。そして、前記外枠施錠部６０の下方側の開口を介して、前記中枠施錠部７０の第１中枠係合片８０が下方から外枠係合片６１(係合板部６２)の後面に係脱可能に当接係合するようになっている。すなわち、外枠施錠部６０の外枠係合片６１の後面に中枠施錠部７０の第１中枠係合片８０が当接係合することで外枠１１に対する中枠１２の開放が規制され、第１中枠係合片８０が外枠係合片６１から離間して係合が解除されることで、外枠１１に対する中枠１２の開放が許容されるようになっている。
【００２６】
(中枠施錠部７０について)
前記中枠施錠部７０は、図５に示すように、前記中枠１２に配設されて鍵による解錠操作部１２０の中枠解錠操作に伴い中枠施錠位置(施錠位置)から中枠解錠位置(解錠位置)に移動される中枠作動体(作動体)７１と、前記外枠係合片６１に対応するよう中枠作動体７１に設けられて当該中枠作動体７１が中枠施錠位置にある状態で対応する外枠係合片６１に対して係合する複数(実施例では２つ)の第１中枠係合片(第１の係合片)８０とを備えており、鍵による中枠解錠操作に伴って中枠作動体７１が中枠解錠位置に移動することで各第１中枠係合片８０と対応する外枠係合片６１との係合が解除されるよう構成されている。すなわち、前記中枠施錠位置において前記外枠係合片６１および第１中枠係合片８０が当接係合することで前記外枠１１および中枠１２が閉鎖状態で保持され、前記中枠解錠位置において各外枠係合片６１および第１中枠係合片８０の係合が解除されることで外枠１１および中枠１２の相対的な開放を許容するよう構成されている。
【００２７】
(中枠作動体７１について)
前記中枠作動体７１は、図５に示すように、前記中枠１２の右枠本体部３５に沿って上下方向に延在する長尺な平板状部材であって、当該右枠本体部３５に対して上下方向に移動可能に支持されている。ここで、前記中枠作動体７１は、当該中枠作動体７１の上下の端部に設けられて前記右枠本体部３５に接触する上下の摺接板部７２と、当該右枠本体部３５から離間するよう上側の摺接板部７２の下端部および下側の摺接板部７２の上端部に連設されて、右枠本体部３５との間に空間を画成する連設板部７３とを備えており、前記解錠操作部１２０の中枠解錠操作に伴って上下の摺接板部７２が右枠本体部３５に摺接した状態で上下に移動するよう構成されている。そして、前記連設板部７３の左側面には、当該連設板部７３と右枠本体部３５との間に位置するよう揺動板７５が支軸７５ａを介して枢支されている。
【００２８】
図５、図１０に示すように、前記揺動板７５には、前記連設板部７３の前縁から前方へ突出する端部に、引張バネ部材(付勢部材)７６の一端が係合するバネ掛止部７５ｂが設けられており、当該バネ掛止部７５ｂに一端が係合された引張バネ部材７６の他端が右枠本体部３５に形成されたバネ掛止部３５ａに係合されている。すなわち、前記揺動板７５は、引張バネ部材７６により前端側が上方へ引き上げられるよう付勢されている。また、前記連設板部７３には、前記揺動板７５を支持する支軸７５ａの上方位置に、前記右枠本体部３５側へ突出する規制突部７３ａが形成されており、引張バネ部材７６の付勢力により支軸７５ａを中心として回転される揺動板７５の回転を、当該規制突部７３ａに接触する位置で規制するよう構成されている。すなわち、前記揺動板７５に係合された引張バネ部材７６により、前記中枠作動体７１が常には上方の中枠施錠位置へ向けて付勢されている。なお、前記揺動板７５を付勢する付勢部材として引張バネ部材７６を採用してあるが、これに限られるものではない。
【００２９】
また、前記揺動板７５には、図５、図１０に示すように、前記連設板部７３の前縁から前方へ突出する端部に、右方向へ延出する当接部７５ｃが形成されている。ここで、前記当接部７５ｃは、前記操作窓部３６ｃを介して前記右枠本体部３５の前方および左側方へ露出するよう設けられて、前記前枠１３を中枠１２に対して閉鎖した閉鎖状態において、前記解錠操作部１２０の第１作動片１２２ａ(後述)が当接部７５ｃの上方に対向するよう構成されている。すなわち、前記解錠操作部１２０の中枠解錠操作に伴って解錠操作部１２０の第１作動片１２２ａが当接部７５ｃに上方から当接して、当該当接部７５ｃが下方へ押し下げられるようになっている。ここで、前記中枠作動体７１(連設板部７３)には、前記当接部７５ｃに対して下方に離間して対向する押圧部７４が設けられており、前記揺動板７５を引張バネ部材７６の付勢力に抗して揺動させた際に、当該当接部７５ｃが押圧部７４に当接するよう構成されている。すなわち、前記解錠操作部１２０の中枠解錠操作に伴って前記第１作動片１２２ａが前記揺動板７５の当接部７５ｃを下方へ押し下げることで、当該当接部７５ｃにより前記押圧部７４が下方へ押し下げられて、前記中枠作動体７１が前記引張バネ部材７６の付勢力に抗して下方の中枠解錠位置へ移動されるようになっている。このように、前記揺動板７５を介して中枠作動体７１を移動させるよう構成することで、不用意に中枠作動体７１が作動されて中枠解錠位置に移動されないよう構成してある。また、前記中枠作動体７１(連設板部７３)と右枠本体部３５との間に揺動板７５を位置させて、前記中枠１２(右枠本体部３５)の操作窓部３６ｃに中枠作動体７１が直接露出しないよう構成することで、当該操作窓部３６ｃを介して不正器具が挿入された場合に、当該不正器具で中枠作動体７１が不正に操作されるのを防止している。
【００３０】
(第１中枠係合片８０について)
前記第１中枠係合片８０は、図５〜図７に示すように、前記中枠作動体７１に対して左右方向に延在する支軸８０ａを介して枢支され、当該支軸８０ａから後方(中枠作動体７１の移動方向に交差する方向)へ延在する第１基部(基部)８１と、当該第１基部８１の後端部(一方端部)に設けられて上方へ突出する第１爪部(爪部)８２とを備え、中枠１２を外枠１１に対して閉鎖した閉鎖状態において、前記外枠係合片６１の後面に当該第１中枠係合片８０の第１爪部８２が当接係合し得るよう構成されている。具体的に、前記第１中枠係合片８０は、前記中枠作動体７１おける上下の端部に設けられた前記上下の摺接板部７２の右側面に個別に揺動し得るよう枢支されており、上側の第１中枠係合片８０が対応する上側の外枠係合片６１に係脱可能に当接係合すると共に、下側の第１中枠係合片８０が対応する下側の外枠係合片６１に係脱可能に当接係合するよう構成されている。なお、実施例における上下の第１中枠係合片８０は同一構成により形成されている。
【００３１】
ここで、図５〜図６に示すように、前記各第１中枠係合片８０(第１基部８１)には、第１中枠係合片８０を支持する支軸８０ａより前側の端部に引張バネ部材(付勢部材)８４の一端が係合するバネ掛止部８０ｂが設けられており、当該バネ掛止部８０ｂに一端が係合された引張バネ部材８４の他端が前記中枠作動体７１(摺接板部７２)に形成されたバネ掛止部７１ａに係合されている。すなわち、前記各第１中枠係合片８０は、第１基部８１において中枠作動体７１との支軸８０ａを挟んで前記第１爪部８２と反対側に位置する端部に前記引張バネ部材８４が取り付けられており、当該引張バネ部材８４により前記第１爪部８２が上方へ向けて付勢されるようになっている。従って、前記中枠作動体７１が中枠施錠位置にある状態において、第１爪部８２が対応する外枠施錠部６０の外枠係合片６１と係合可能な係合位置強制解除位置(図６の実線位置)と、当該引張バネ部材８４の付勢力に抗して係合位置から第１爪部８２が下方へ変位して外枠係合片６１が係合不能な強制解除位置強制解除位置(図６の二点鎖線位置)との間で、各第１中枠係合片８０を独立して個別に揺動(変位)させ得るようになっている。なお、前記第１中枠係合片８０を係合位置に付勢する付勢部材として引張バネ部材８４を採用してあるが、これに限られるものではない。
【００３２】
すなわち、実施例の施錠機構６０,７０,１００,１２０では、鍵を利用した解錠操作部１２０の中枠解錠操作により前記中枠作動体７１を中枠施錠位置から中枠解錠位置に移動させることで外枠施錠部６０(外枠係合片６１)と中枠施錠部７０(第１中枠係合片８０)との係合が同時に解除されて中枠１２を外枠１１に対して開放可能となると共に、上下の第１中枠係合片８０を同時に強制解除位置まで個別に強制的に移動させることで、鍵を利用した解錠操作部１２０によらずに外枠施錠部６０(外枠係合片６１)と中枠施錠部７０(第１中枠係合片８０)との係合を解除して中枠１２を外枠１１に対して開放可能となるよう構成されている。一方で、上下の第１中枠係合片８０の何れか一方を強制解除位置まで強制的に移動させた場合には、他方の第１中枠係合片８０が係合位置に保持されることで、外枠施錠部６０(外枠係合片６１)と中枠施錠部７０(第１中枠係合片８０)との当接係合が維持されて中枠１２を外枠１１に対して開放不能となるようになっている。
【００３３】
また、前記第１中枠係合片８０(第１基部８１)には、図５、図１０に示すように、当該第１中枠係合片８０の係合位置において前記中枠作動体７１のバネ掛止部７１ａに対して上方から当接する第１の規制部８１ａが形成されると共に、当該中枠作動体７１には、第１中枠係合片８０の強制解除位置において当該第１中枠係合片８０の第１基部８１の下端部が上方から当接する第２の規制部７３ｂが形成されている。すなわち、前記中枠作動体７１は、前記第１の規制部８１ａがバネ掛止部７１ａに当接することで前記引張バネ部材８４による回転移動が規制されて前記係合位置に保持されると共に、前記第１基部８１の下端部が第２の規制部７３ｂに当接することで、引張バネ部材８４に抗した回転移動が規制されて前記強制解除位置に保持されるようになっている。ここで、前記第２の規制部７３ｂは、前記第１中枠係合片８０に係合された引張バネ部材８４がバネ特性(復元力)を喪失しない範囲で弾性変形する位置に設けられており、強制解除位置まで回転変位された第１中枠係合片８０を、当該引張バネ部材８４の付勢力により係合位置まで復帰させ得るようになっている。言い換えると、前記第１中枠係合片８０の回転を第２の規制部７３ｂで規制することで、不正器具等により第１中枠係合片８０が係合位置から強制的に回転変位された場合に、当該第１中枠係合片８０を係合位置に保持する引張バネ部材８４が破壊されないようにしてある。
【００３４】
また、図５〜図７に示すように、前記中枠作動体７１には、前記連設板部７３の上端部から上方へ延出すると共に上端部が前記上側の摺接板部７２に接続する上側の支持片７８ａが形成されており、当該上側の支持片７８ａと上側の摺接板部７２との間に前後に開口する挿通孔部７１ｂが形成されるようになっている。また、同様に、前記中枠作動体７１には、前記連設板部７３の下端部から下方へ延出すると共に下端部が前記下側の摺接板部７２に接続する下側の支持片７８ｂが形成されており、当該下側の支持片７８ｂと下側の摺接板部７２との間に前後に開口する挿通孔部７１ｂが形成されるようになっている。
【００３５】
そして、図７に示すように、前記上下の摺接板部７２に支持された前記第１中枠係合片８０の第１基部８１が対応する上下の挿通孔部７１ｂに前方から挿通されて、各第１中枠係合片８０の第１爪部８２が前記支持片７８ａ,７８ｂの後方に位置するよう構成されている。ここで、前記挿通孔部７１ｂの左右方向の開口幅は、当該挿通孔部７１ｂに挿通される前記第１中枠係合片８０の左右の厚み寸法と略同じになるよう設定されている。従って、前記挿通孔部７１ｂに挿通された第１中枠係合片８０の右側面が支持部に接触(挿通孔部７１ｂの開口縁部に接触)して、前記中枠１２の右枠本体部３５から離間する方向(係合位置および強制解除位置への移動方向と交差する方向)への第１爪部８２の変位が規制されるようになっている。すなわち、不正器具により第１中枠係合片８０が側方へ引っ張られた際に、当該第１中枠係合片８０が第１基部８１の枢支端部から屈曲されるのを前記上下の支持片７８ａ,７８ｂで防止して、当該第１中枠係合片８０が外枠係合片６１に対して係合不能とされるのを防いでいる。
【００３６】
(第２中枠係合片９０について)
また、図５、図６、図１０に示すように、前記中枠施錠部７０は、前記複数の前枠係合片１１０に対応するよう前記中枠１２に配設された複数(実施例では３つ)の第２中枠係合片(第２の係合片)９０を備えており、前記前枠施錠部１００を構成する前枠作動体１０５が前枠施錠位置にある状態で、各第２中枠係合片９０が対応する前枠係合片１１０と係合すると共に、鍵による解錠操作に伴って前枠作動体１０５が前枠解錠位置に移動することで各第２中枠係合片９０と対応する前枠係合片１１０との係合が解除されるよう構成されている。すなわち、前記前枠施錠位置において前記前枠係合片１１０および第２中枠係合片９０が係合することで前記前枠１３および中枠１２が閉鎖状態で保持され、前記前枠解錠位置において各前枠係合片１１０および第２中枠係合片９０の係合が解除されることで前枠１３および中枠１２の相対的な開放を許容するよう構成されている。
【００３７】
前記第２中枠係合片９０の夫々は、図５、図６、図１０に示すように、前記右枠本体部３５の右側面に左右方向に延在する支軸９０ａを介して枢支される第２基部９１と、該第２基部９１の前端部(一方端部)に設けられて上方へ突出する第２爪部(第２の爪部)９２とを備え、前枠１３を中枠１２に対して閉鎖した閉鎖状態において、前記前枠係合片１１０の前面に当該第２中枠係合片９０の第２爪部９２が当接係合し得るよう構成されている。具体的に、前記第２中枠係合片９０は、前記右枠本体部３５おける前記各第１の貫通孔３６ａの後方に個別に枢支されて、上側の第２中枠係合片９０が対応する上側の前枠係合片１１０に係脱可能に当接係合し、中間の第２中枠係合片９０が対応する中間の前枠係合片１１０に係脱可能に当接係合すると共に、下側の第２中枠係合片９０が対応する下側の前枠係合片１１０に係脱可能に当接係合するよう構成されている。なお、実施例における各第２中枠係合片９０は同一構成により形成されている。
【００３８】
図６に示すように、前記第２中枠係合片９０の夫々は、前記右枠本体部３５に係合された捻りバネ部材(付勢部材)９３により前記第２爪部９２が上方へ向けて付勢されており、第２中枠係合片９０の夫々を対応する前枠施錠部１００の前枠係合片１１０が係合可能な上方の係合位置(図６の実線位置)と、当該係合位置から下方へ揺動変位して第２爪部９２が前枠係合片１１０に係合不能な下方の強制解除位置(図６の二点鎖線位置)との間で個別に揺動し得るようになっている。すなわち、不正器具等により第２中枠係合片９０の何れかを係合位置から強制解除位置に揺動変位させたとしても、他の第２中枠係合片９０と前枠係合片１１０との係合が維持されることで、前枠１３が不正に開放されないようになっている。なお、前記第２中枠係合片９０を係合位置に付勢する付勢部材として捻りバネ部材９３を採用してあるが、これに限られるものではない。
【００３９】
(規制部材９５について)
また、図５、図８に示すように、前記中枠施錠部７０は、前記中枠１２に対して前枠１３を開放した状態で前記中枠作動体７１の中枠施錠位置から中枠解錠位置への移動を規制する規制部材９５を備えている。前記規制部材９５は、前記中枠１２における右枠本体部３５の右側面に対向した状態で支軸９６ａを中心に揺動可能に枢支される平板部９６と、当該平板部９６の上端部に設けられて右方向に延出する規制受け片９７と、当該平板部９６の前端部に設けられて右方向に延出する作動受け片９８とを備えている。ここで、前記規制部材９５は、前記中枠作動体７１の中枠施錠位置において、当該中枠作動体７１の前端に設けられた受け部７１ｃが前記規制受け片９７の上方に対向する解錠規制位置(図８(a)参照)と、当該中枠施錠位置において当該受け部７１ｃより前方へ規制受け片９７が退避した解錠許容位置(図８(b)参照)との間を揺動し得るよう構成されている。すなわち、前記規制部材９５が解錠規制位置にある状態では、受け部７１ｃが規制受け片９７に対して上方から当接することで、前記中枠作動体７１の中枠施錠位置から中枠解錠位置への移動が規制され、当該規制部材９５が解錠許容位置にある状態では、受け部７１ｃに規制受け片９７に対して上方から当接しないことで、中枠作動体７１の中枠施錠位置から中枠解錠位置への移動が許容されるようになっている。そして、前記規制部材９５の夫々は、前記右枠本体部３５および規制部材９５に係合された捻りバネ部材(付勢部材)９９により前記解錠規制位置へ向けて付勢されている。なお、前記規制部材９５を解錠規制位置に付勢する付勢部材として捻りバネ部材９９を採用してあるが、これに限られるものではない。
【００４０】
また、図８(a)に示すように、前記規制部材９５が解錠規制位置にある状態では、前記作動受け片９８が前記右枠本体部３５の連結壁３６の後面に当接して、当該連結壁３６に形成された第２の貫通孔３６ｂの後方開口を閉塞するよう構成されている。すなわち、前記中枠１２に対して前枠１３を開放した状態では、捻りバネ部材９９の付勢力により前記規制部材９５が解錠規制位置に保持されることで、前記中枠作動体７１の中枠施錠位置から中枠解錠位置への変位が規制され、中枠１２に対して前枠１３を閉鎖した状態では、前記連結壁３６の第２の貫通孔３６ｂに挿通された後述する前枠１３の突出片１０３ｂが作動受け片９８を後方へ押圧することで(図８(b)参照)、当該規制部材９５が解錠規制位置から解錠許容位置へ変位されて、鍵による解錠操作部１２０の中枠解錠操作に伴って中枠作動体７１の中枠施錠位置から中枠解錠位置への変位が許容されるようになっている。このように、中枠１２に対して前枠１３を開放した状態において中枠作動体７１の中枠施錠位置から中枠解錠位置への変位を規制することで、不正器具を利用して中枠作動体７１が不正に操作されるのを防止している。
【００４１】
(前枠施錠部１００について)
前記前枠施錠部１００は、図１、図２、図９に示すように、前記前枠基体部４１の後面右端部に配設された支持案内部１０１と、該支持案内部１０１に移動自在に支持されて鍵による解錠操作部１２０の前枠解錠操作に伴い前枠施錠位置から前枠解錠位置に移動される前枠作動体１０５と、前記第２中枠係合片９０に対応するよう前枠作動体１０５に設けられて当該前枠作動体１０５が前枠施錠位置にある状態で対応する第２中枠係合片９０に対して係合する複数(実施例では３つ)の前枠係合片１１０とを備えている。前記支持案内部１０１は、上下方向に長尺な金属部材であって、前記前枠基体部４１に取着される取着板部１０２と、該取着板部１０２の左縁部から後方へ折曲形成された案内板部１０３とから構成される。前記案内板部１０３は、前枠１３を中枠１２に対して閉鎖した閉鎖状態で、前記中枠１２の第１の貫通孔３６ａから突出する第２中枠係合片９０より左方に位置すると共に、当該案内板部１０３の後縁部から右方向へ屈曲する保持片１０３ａが上下方向に離間して複数(実施例では４つ)に形成されている。そして、前記保持片１０３ａの上端部が前方へ屈曲するよう形成されており、当該保持片１０３ａと案内板部１０３との間に前記前枠作動体１０５が上下方向に移動可能に支持されるようになっている。また、案内板部１０３における上下方向の略中央位置に、該案内板部１０３の後縁部から左方へ延出する設置板１０４が設けられており、該設置板１０４に前記解錠操作部１２０が固定されている。
【００４２】
前記前枠作動体１０５は、図９に示すように、前記支持案内部１０１より僅かに短い上下長さを有する長尺な平板状部材であって、案内板部１０３の右面に接した状態で前記保持片１０３ａと案内板部１０３との間に上下に移動可能に保持されている。また、前記前枠作動体１０５の後縁部には、右方へ延出するよう前記前枠係合片１１０が上下に離間して複数(実施例では３つ)形成されており、当該前枠係合片１１０の前面に前記中枠施錠部７０の第２中枠係合片９０に係脱可能に係合するよう構成されている。そして、前記前枠作動体１０５の右側面には、引張バネ部材１０８の上端部が支持されるバネ掛止部１０５ａが形成されて、当該前枠作動体１０５のバネ掛止部１０５ａに支持された引張バネ部材１０８の下端部が前記支持案内部１０１の取着板部１０２に形成されたバネ掛止部１０２ａに支持されて、当該引張バネ部材１０８の弾性力(付勢力)により前枠作動体１０５が下方へ向けて付勢されている。すなわち、前記前枠作動体１０５は、引張バネ部材１０８の付勢力により常には下方の前枠施錠位置に保持されて、引張バネ部材１０８の付勢力に抗して上方の前枠解錠位置へ移動させ得るよう構成されている。そして、前枠１３を中枠１２に対し閉鎖した閉鎖状態において、前枠作動体１０５が前枠施錠位置に位置することで、前記前枠係合片１１０が第２中枠係合片９０に係合して前枠１３が中枠１２に対して施錠され、当該前枠作動体１０５を前枠解錠位置に移動させることで、前枠係合片１１０と第２中枠係合片９０との係合が解除されて前枠１３を中枠１２に対して開放させ得るようになっている。更に、前記前枠作動体１０５には、前記設置板１０４に対応する位置に、当該設置板１０４より後方へ延出する係合操作部１０６が形成されており、前記解錠操作部１２０の前枠解錠操作に伴って第２作動片１２２ｂが当該係合操作部１０６の下端部に下方から当接して上方へ押圧されることで、前枠作動体１０５を前枠施錠位置から前枠解錠位置へ移動させ得るようになっている。
【００４３】
(解錠操作部１２０)
前記解錠操作部１２０は、図９に示すように、図示しない鍵を差し込み可能な鍵孔１２１ａが前端面に形成された錠本体１２１と、当該錠本体１２１の後端部に設けられて鍵孔１２１ａに差し込んだ鍵の回動操作(解錠操作)に伴って回動する回動盤１２２と、当該回動盤１２２の外周部から径方向外方へ延出する第１作動片１２２ａおよび第２作動片１２２ｂとを備えており、前記設置板１０４の前面側に錠本体１２１が前方に突出すると共に、当該設置板１０４の裏側に回動盤１２２(第１および第２作動片１２２ａ,１２２ｂ)が位置する状態で取り付けられている。ここで、前記第１作動片１２２ａは、前記回動盤１２２の周縁から後方へ折曲した後に当該回動盤１２２の径方向外方へ延出するよう形成されると共に、前記第２作動片１２２ｂは、回動盤１２２の板面と同じ位置に設けられており、第１作動片１２２ａと第２作動片１２２ｂとが前後にずれて位置するよう構成されている。すなわち前記第１作動片１２２ａは、前記前枠作動体１０５の係合操作部１０６より後方に位置するよう構成されている。
【００４４】
そして、前記中枠１２に対して前枠１３を閉鎖した閉鎖状態において、前記第１作動片１２２ａが前記中枠施錠部７０における揺動板７５の当接部７５ｃの上方に対向して、前記回動盤１２２の右回転に伴う当該第１作動片１２２ａの移動軌跡上に当接部７５ｃが位置するようになっている。すなわち、前記解錠操作部１２０は、錠本体１２１の鍵孔１２１ａに差し込んだ鍵を一方(実施例では右回転方向)へ回動操作(中枠解錠操作)することで、前記第１作動片１２２ａが揺動板７５(すなわち中枠作動体７１)を押し下げるよう構成されており、これにより中枠作動体７１が中枠施錠位置から中枠解錠位置へ移動されて中枠１２の第１中枠係合片８０と外枠１１の外枠係合片６１の当接係合が解除され、中枠１２が外枠１１に対し解錠されるようになっている。
【００４５】
また、前記中枠１２に対して前枠１３を閉鎖した閉鎖状態において、前記第２作動片１２２ｂが前記前枠施錠部１００における係合操作部１０６の下方に対向して、前記回動盤１２２の左回転に伴う当該第２作動片１２２ｂの移動軌跡上に係合操作部１０６が位置するようになっている。すなわち、前記解錠操作部１２０は、錠本体１２１の鍵孔１２１ａに差し込んだ鍵を他方(実施例では左回転方向)へ回動操作(前枠解錠操作)することで、前記第２作動片１２２ｂが係合操作部１０６(すなわち前枠作動体１０５)を押し上げるよう構成されており、これにより前枠作動体１０５が前枠施錠位置から前枠解錠位置へ移動されて中枠１２の第２中枠係合片９０と前枠１３の前枠係合片１１０の当接係合が解除され、前枠１３が中枠１２に対し解錠されるようになっている。
【００４６】
(実施例の作用)
次に、前述のように構成された実施例に係るパチンコ機１０の作用につき説明する。
【００４７】
前記外枠１１に対して中枠１２を閉鎖した状態では、図１０(a)に示すように、前記中枠施錠部７０の中枠作動体７１が中枠施錠位置に保持されると共に、当該中枠作動体７１に設けられた上下の第１中枠係合片８０の第１爪部８２が係合位置に保持されることにより、各第１中枠係合片８０の第１爪部８２が前記外枠施錠部６０の対応する外枠係合片６１の後面に対して当接係合して中枠１２が外枠１１に対して開放不能に施錠される。また、前記中枠１２に対して前枠１３を閉鎖した状態では、図１０(a)に示すように、前記前枠施錠部１００の前枠作動体１０５が前枠施錠位置に保持されると共に、前記中枠施錠部７０を構成する複数(実施例では３つ)の第２中枠係合片９０の第２爪部９２が係合位置に保持されることにより、各第２中枠係合片９０の第２爪部９２が前枠作動体１０５に設けられた対応する前枠係合片１１０の前面に対して当接係合して前枠１３が中枠１２に対して開放不能に施錠される。そして、前記中枠１２に対して前枠１３を閉鎖した状態では、中枠１２(右枠本体部３５)に開設された第２の貫通孔３６ｂに挿通された前枠施錠部１００の各突出片１０３ｂが前記中枠施錠部７０における規制部材９５の作動受け片９８を押圧して、当該規制部材９５を解錠規制位置から解錠許容位置に変位させることで、中枠作動体７１を中枠施錠位置から中枠解錠位置へ移動させ得るようになる。
【００４８】
また、前記外枠１１に対して中枠１２を閉鎖すると共に中枠１２に対して前枠１３を閉鎖した状態では、前記解錠操作部１２０における錠本体１２１の鍵孔１２１ａに挿入した鍵を一方(右回転方向)へ回動操作する中枠解錠操作に伴い、前記中枠施錠部７０の揺動板７５に設けられた当接部７５ｃに対して上方から当接する解錠操作部１２０の第１作動片１２２ａにより当該揺動板７５が下方へ押し下げられる。そして、前記揺動板７５が下方へ押し下げられることで、当該揺動板７５が支持された前記中枠作動体７１が中枠施錠位置から中枠解錠位置へ移動されて、当該中枠作動体７１に支持された上下の第１中枠係合片８０の第１爪部８２が前記外枠施錠部６０の対応する外枠係合片６１の後面から下方に離間して同時に係合が解除されることで、外枠１１に対して中枠１２を開放可能に解錠される(図１０(b)参照)。また、前記中枠作動体７１は、中枠解錠位置から中枠施錠位置へ向けて常時付勢されているから、中枠解錠操作の後には解錠操作部１２０の前記第１作動片１２２ａを中枠作動体７１(揺動板７５)により押し戻すことができ、中枠作動体７１を中枠施錠位置に確実に保持することができる。そして、第１作動片１２２ａと中枠作動体７１との間に揺動板７５が介在することで、第１作動片１２２ａが完全に初期位置まで復帰していなくても中枠作動体７１を中枠施錠位置に保持でき、意図せずに中枠１２が開放されるのを防止することができる。また、前記第１作動片１２２ａが臨む操作窓部３６ｃと中枠作動体７１との間に揺動板７５が位置することで、中枠作動体７１に対する当該操作窓部３６ｃを介した不正器具による不正操作を防ぐことができる。
【００４９】
また、前記中枠１２に対して前枠１３を閉鎖した状態では、前記解錠操作部１２０における錠本体１２１の鍵孔１２１ａに挿入した鍵を他方(左回転方向)へ回動操作する前枠解錠操作に伴い、前記前枠施錠部１００の前枠作動体１０５に設けられた係合操作部１０６に対して下方から当接する解錠操作部１２０の第２作動片１２２ｂにより上方へ押し上げられた前枠作動体１０５が前枠施錠位置から前枠解錠位置へ移動されて、当該前枠作動体１０５に支持された各前枠係合片１１０が対応する第２中枠係合片９０の第２爪部９２から上方に離間して同時に係合が解除されることで、中枠１２に対して前枠１３を開放可能に解錠される(図１０(c)参照)。また、前記前枠作動体１０５は、引張バネ部材１０８および自重により前枠解錠位置から前枠施錠位置へ向けて常時付勢されているから、前枠解錠操作の後には解錠操作部１２０の前記第２作動片１２２ｂを前枠作動体１０５により押し戻すことができ、前枠作動体１０５を前枠施錠位置に確実に保持することができる。そして、前記中枠１２に対して前枠１３を開放した状態では、中枠１２(右枠本体部３５)の第２の貫通孔３６ｂから前枠施錠部１００の各突出片１０３ｂが前方へ抜き出されることで、前記中枠施錠部７０における規制部材９５が解錠許容位置から解錠規制位置に変位されて、中枠作動体７１を中枠施錠位置から中枠解錠位置へ移動させ得なくなる。このため、不正器具等により中枠１２に対して前枠１３が不正に開放されたとしても、中枠作動体７１を操作して外枠１１に対する中枠１２の施錠状態を解除し得ないから、外枠１１に対する中枠１２の不正な開放を防止することができる。
【００５０】
ここで、前記上下の第１中枠係合片８０は、鍵による解錠操作部１２０の中枠解錠操作に伴って中枠施錠位置から中枠解錠位置に移動される中枠作動体７１に対して、係合位置および強制解除位置に個別に変位し得るよう支持されている。このため、鍵を用いた解錠操作部１２０の中枠解錠操作によらずに、不正器具等によって何れかの第１中枠係合片８０を強制解除位置へ変位させるように強制的に操作された場合でも、他の第１中枠係合片８０が係合位置に保持されるから、中枠施錠部７０と外枠施錠部６０との係合状態(施錠状態)を維持することができ、外枠１１に対する中枠１２の不正な開放を防止することができる。
【００５１】
また、前記中枠施錠部７０が係脱可能に係合する外枠施錠部６０の外枠係合片６１は、前記対応する第１中枠係合片８０が後面に当接係合する係合板部６２の外周縁部(上縁部および左側縁部３３ｂ)から後方へ延出する屈曲部６３が形成されている。すなわち、前記中枠作動体７１の中枠施錠位置および中枠解錠位置との間の変位、あるいは前記係合位置と強制解除位置との間の変位に伴って前記第１中枠係合片８０が係合板部６２の後面に対して近接および離間する縁部(すなわち下縁部)を除く縁部から屈曲部６３が屈曲するよう外枠係合片６１を形成することで、係合板部６２(外枠係合片６１)の後面に当接係合した第１中枠係合片８０を屈曲部６３で囲うことができる。このため、外枠係合片６１(係合板部６２)に係合する第１中枠係合片８０まで不正器具を到達させるのを困難にでき、当該第１中枠係合片８０が強制的に強制解除位置に変位されるのを防いで、外枠１１に対して中枠１２が不正に開放されるのを防止することができる。
【００５２】
また、前記上下の第１中枠係合片８０の夫々は、中枠作動体７１(具体的には対応する上下の摺接板部７２)と支持片７８ａ,７８ｂとの間に画成される挿通孔部７１ｂを貫通するよう第１基部８１が挿通されている。このため、解錠操作部１２０に差し込んだ鍵による中枠解錠操作によらずに中枠１２を外枠１１に対して開放させることを企図して、第１中枠係合片８０に引っ掛けた不正器具を外枠係合片６１との係合が解除されるように当該第１中枠係合片８０を変形させる不正行為が成された場合でも、係合位置および強制解除位置への移動方向と交差する方向への第１中枠係合片８０の変形を支持片７８ａ,７８ｂで規制し得るから、第１中枠係合片８０が対応する外枠係合片６１に対して係合不能とされるのを防ぐことができ、外枠１１に対して中枠１２が不正に開放されるのを防止することができる。
【００５３】
また、各第１中枠係合片８０は、中枠作動体７１に支持される第１基部８１において、当該第１基部８１の支軸８０ａを挟んで第１爪部８２と反対側に位置する端部に取り付けられた引張バネ部材８４の付勢により係合位置に保持されるよう構成されている。このため、第１中枠係合片８０の不正な操作を企図して差し込まれた不正器具が引張バネ部材８４まで到達するのを困難にして、引張バネ部材８４の切断等により破壊されたり、当該引張バネ部材８４が中枠作動体７１や第１中枠係合片８０から取り外されるのを防止でき、第１中枠係合片８０を係合位置で安定して保持することができる。更に、前記第１中枠係合片８０は、前記中枠作動体７１に設けられた第２の規制部７３ｂにより回動規制されるよう構成されているから、作業者が第１中枠係合片８０を強制解除位置に変位させた際や、不正器具により第１中枠係合片８０が強制解除位置に強制的に変位された際に引張バネ部材８４が損傷するのを防止することができる。
【００５４】
(変更例)
なお、本発明に係る遊技機の構成としては、前述した実施例に示したものに限らず、種々の変更が可能である。
【００５５】
(１)  実施例では、第１の基体としての外枠に複数の係合受け部(外枠係合片)を設けると共に、第２の基体としての中枠に設けた施錠位置および解錠位置に移動可能な作動体(中枠作動体)に、係合受け部に対して係脱可能に係合する複数の係合片(第１中枠係合片)を対応して設けて、各係合片(第１中枠係合片)の夫々を係合位置および強制解除位置に個別に独立して変位し得るよう構成したが、第１の基体および第２の基体としてはこれらの外枠および中枠に限られるものではない。すなわち、中枠を第１の基体とし、前枠を第２の基体として、当該中枠および前枠に係合受け部や作動体、係合片を設けるようにしてもよい。そして、中枠を第１の基体とすると共に外枠を第２の基体としてもよく、前枠を第１の基体とすると共に中枠を第２の基体としてもよい。
(２)  第１の基体および第２の基体としては、外枠、中枠および前枠に限られるものではなく、ヒンジ接続により相対的に開閉可能に支持されると共に、鍵による解錠操作により相対的な開放が許容されるよう構成された２つの部材を、第１の基体および第２の基体とすることができる。例えば、中枠や前枠の枠体に対して球皿部材を開閉可能に設けて、当該球皿部材を、鍵による解錠操作により開放させ得るよう構成した場合には、当該枠体および球皿部材の一方を第１の基体とし、他方を第２の基体とすることができる。同様に、遊技盤を着脱可能に保持する遊技盤保持枠を中枠に対して開閉可能に設けた構成であれば、中枠および遊技盤保持枠の一方を第１の基体とし、他方を第２の基体とすることができる。
(３)  実施例では、作動体に対して上下に離間して２つの係合片(第１中枠係合片)を設けるように構成したが、３つ以上の係合片を設けるようにしてもよい。
(４)  実施例では、作動体(中枠作動体)に対して各係合片(第１中枠係合片)を、支軸を中心に揺動し得るよう構成したが、当該各係合片を上下方向に平行移動し得るよう作動体に設けるようにしてもよい。すなわち、各係合片は、作動体が施錠位置にある状態において、係合受け部に対して係合可能な係合位置と、係合受け部との係合が解除される強制解除位置との間を個別に変位させ得る構成であればよい。
(５)  実施例では、第１の基体に設けられる係合受け部(外枠係合片)を、係合板部と屈曲部とから下方および後方へ開口する箱状に形成したが、下方(係合および係合解除に伴って係合片が移動する方向)にのみ開口する箱状に係合受け部を形成するようにしてもよい。この場合には、係合受け部と対応する係合片との係合箇所全体が囲繞されて、不正器具を用いた不正行為を一層困難にできる。
(６)実施例では、外枠および中枠の左側部、前枠および中枠の左側部の夫々にヒンジ部を設け、右側部側に施錠機構を設けたが、ヒンジ部および施錠機構が左右反対の側部に配置された構成とすることもできる。
(７)  実施例では、パチンコ球を遊技媒体として遊技が行われるパチンコ機を例示して説明したが、これに限られるものではなく、アレンジボール機やピンボール機、スロットマシン機(回胴式遊技機)等の各種遊技機を採用し得る。
例えば、スロットマシン機(回胴式遊技機)は、前方へ開口する箱状の筐体に、当該筐体の前方開口を塞ぐ前扉が開閉可能にヒンジ接続され、図柄が配列された複数のリール(回転体)が前側から視認し得るように筐体内部に配設されている。そして、遊技者が所定の開始操作手段(スタートレバー)の操作を行うことを契機にリール(回転体)が回転して図柄が変動開始すると共に、変動ゲームの当否に関連した当否判定を行い、所定の停止操作手段(ストップボタン)の操作を契機に、当否判定に基づく図柄停止制御を実行し、停止した図柄の組合せによって遊技利益が付与される制御される遊技機である。このようなスロットマシン機では、前記筐体および前扉を第１の基体および第２の基体として採用することができる。
【符号の説明】
【００５６】
１１  外枠(第１の基体)
１２  中枠(第２の基体)
３３  左枠部(ヒンジ接続される側部)
３４  右枠部(ヒンジ接続される側部と反対側の側部)
６０  外枠施錠部(施錠機構)
６１  外枠係合片(係合受け部)
６２  係合板部(第１部位)
６３  屈曲部(第２部位)
７０  中枠施錠部(施錠機構)
７１  中枠作動体(作動体)
７１ｂ  挿通孔部
８０  第１中枠係合片(係合部)
８１  第１基部(基部)
８２  第１爪部(爪部)
８４  引張バネ部材(付勢部材)
１００  前枠施錠部(施錠機構)
１２０  施錠操作部(施錠機構)
１２１ａ  鍵孔
【図１】
2018110965.tif 000003
【図２】
2018110965.tif 000004
【図３】
2018110965.tif 000005
【図４】
2018110965.tif 000006
【図５】
2018110965.tif 000007
【図６】
2018110965.tif 000008
【図７】
2018110965.tif 000009
【図８】
2018110965.tif 000010
【図９】
2018110965.tif 000011
【図１０】
2018110965.tif 000012